(57)【要約】 【課題】  表示品質を向上させることができるバックライトアセンブリ及びこれを有する液晶表示装置を提供する。【解決手段】  バックライトアセンブリは、互いに平行に配置され、光を発生するランプ、底面部及び側部で構成され、ランプを収納する収納容器、及びランプの末端部をカバーしかつ収納容器と結合される側面モールド部材を含む。側面モールド部材は、ランプから発生した光を拡散させるための拡散パターンを有する反射面及び反射面から底面部と平行に延びる上部面を含む。従って、バックライトアセンブリの外郭部に暗部が生じることを防止して液晶表示装置の表示品質を向上させることができる。【選択図】    図２
2006066359.tif 000002
【特許請求の範囲】
【請求項１】
光を発生する複数のランプと、
底面部及び側部で構成され、前記ランプを収納する収納容器と、
前記ランプの末端部をカバーしかつ前記収納容器と結合され、前記ランプから発生した光を拡散反射させるための拡散パターンを有する反射面及び前記反射面から延びる上部面を有する側面モールド部材と、
を含むことを特徴とするバックライトアセンブリ。
【請求項２】
前記拡散パターンは、前記反射面の表面から突出した拡散突起で構成されることを特徴とする請求項１記載のバックライトアセンブリ。
【請求項３】
前記拡散突起は、円錐形状を有することを特徴とする請求項２記載のバックライトアセンブリ。
【請求項４】
前記拡散突起は、半球形状を有することを特徴とする請求項２記載のバックライトアセンブリ。
【請求項５】
前記拡散パターンは、前記反射面の表面から凹陥した拡散溝で構成されることを特徴とする請求項１記載のバックライトアセンブリ。
【請求項６】
前記反射面は、前記上部面の延長線を基準として前記ランプの方向に傾くように形成されたことを特徴とする請求項１記載のバックライトアセンブリ。
【請求項７】
前記反射面には、前記各ランプに対応して開口される開口部が形成されることを特徴とする請求項６記載のバックライトアセンブリ。
【請求項８】
前記ランプの末端部と結合して前記ランプを固定し、前記側面モールド部材によってカバーされるランプホルダーを更に含むことを特徴とする請求項１記載のバックライトアセンブリ。
【請求項９】
前記ランプの上部に配置され、前記ランプから発生した光を拡散させる拡散板を更に含むことを特徴とする請求項１記載のバックライトアセンブリ。
【請求項１０】
前記側面モールド部材の上部面には、前記拡散板の収納位置をガイドするためのしきいが形成されたことを特徴とする請求項９記載のバックライトアセンブリ。
【請求項１１】
前記側面モールド部材の上部面には、前記拡散板を固定するための突出した拡散板固定部が形成されたことを特徴とする請求項９記載のバックライトアセンブリ。
【請求項１２】
前記拡散板には、前記拡散板固定部と結合される固定溝が形成されたことを特徴とする請求項１１記載のバックライトアセンブリ。
【請求項１３】
前記ランプの下部に配置されて前記ランプから発生した光を反射させる反射板と、
前記拡散板の上部に配置される光学シートと、
を更に含むことを特徴とする請求項９記載のバックライトアセンブリ。
【請求項１４】
前記側面モールド部材の上部面には、前記光学シートを固定するためのシート固定部が形成されたことを特徴とする請求項１３記載のバックライトアセンブリ。
【請求項１５】
前記シート固定部は、前記上部面から突出した突起形状を有することを特徴とする請求項１４記載のバックライトアセンブリ。
【請求項１６】
前記光学シートは、前記拡散板を通して拡散された光を集光するための集光シートを含むことを特徴とする請求項１３記載のバックライトアセンブリ。
【請求項１７】
前記光学シートは、前記拡散板を通して拡散された光を再び拡散させるための拡散シートを含むことを特徴とする請求項１３記載のバックライトアセンブリ。
【請求項１８】
前記収納容器と結合されて前記拡散板と前記光学シートを固定するモールドフレームと、
前記収納容器の背面に配置され、前記ランプを駆動するための駆動電圧を発生するインバータと、
を更に含むことを特徴とする請求項１３記載のバックライトアセンブリ。
【請求項１９】
光を発生するランプと、底面部及び側部で構成され、前記ランプを収納する収納容器と、前記ランプから発生した光を拡散反射させるための拡散パターンを有する反射面及び前記反射面から延びる上部面を有する側面モールド部材を含むバックライトアセンブリと、
前記バックライトアセンブリから供給される光を用いて画像を表示する液晶表示パネルと、
前記液晶表示パネルを前記バックライトアセンブリに固定するためのトップシャーシと、
を含むことを特徴とする液晶表示装置。
【請求項２０】
前記拡散パターンは、前記反射面の表面から突出した拡散突起で構成されることを特徴とする請求項１９記載の液晶表示装置。
【請求項２１】
前記拡散パターンは、前記反射面の表面から凹陥した拡散溝で構成されることを特徴とする請求項１９記載の液晶表示装置。
【請求項２２】
前記反射面は、前記上部面の延長線を基準として前記ランプの方向に傾いて形成されたことを特徴とする請求項１９記載の液晶表示装置。
【請求項２３】
前記反射面には、前記各ランプに対応して開口する開口部が形成されることを特徴とする請求項２２記載の液晶表示装置。
【請求項２４】
前記バックライトアセンブリは、
前記ランプの下部に配置され、前記ランプから発生した光を反射させる反射板と、
前記ランプの上部に配置され、前記ランプから発生した光を拡散させる拡散板と、
前記拡散板の上部に配置される光学シートと、
を更に含むことを特徴とする請求項１９記載の液晶表示装置。
【請求項２５】
前記バックライトアセンブリは、
前記収納容器と結合され、前記拡散板及び前記光学シートを固定するモールドフレームと、
前記収納容器の背面に配置され、前記ランプを駆動するための駆動電圧を発生するインバータと、
を更に含むことを特徴とする請求項２４記載の液晶表示装置。
【発明の詳細な説明】
【技術分野】
【０００１】
本発明はバックライトアセンブリ及びこれを有する液晶表示装置に関し、より詳細には画像を表示するために光を供給するバックライトアセンブリ及びこれを有する液晶表示装置に関するものである。
【背景技術】
【０００２】
一般的に、液晶表示装置（Ｌｉｑｕｉｄ  Ｃｒｙｓｔａｌ  Ｄｉｓｐｌａｙ）は、液晶（Ｌｉｑｕｉｄ  Ｃｒｙｓｔａｌ）を利用して画像を表示する平板表示装置の一つであり、他のディスプレイ装置に比べて薄くて軽く、低い駆動電圧及び低い消費電力を有する長所があって、産業全般にかけて広範囲に用いられている。
【０００３】
このような液晶表示装置は、画像を表示するための液晶表示パネルが自ら発光できない非発光性装置であるため、別途の人工光を提供するためのバックライトアセンブリを必要とする。
【０００４】
バックライトアセンブリは、光を発生するランプを含む。ここで、ランプは細くて長い円筒形状を有する冷陰極蛍光ランプ（ＣＣＦＬ）が主に用いられる。バックライトアセンブリはランプの位置によって、大きくエッジ型（ｅｄｇｅ  ｔｙｐｅ）と直下型（ｄｉｒｅｃｔ  ｔｙｐｅ）に分かれる。エッジ型は、透明導光板の側面に一つ又は二つのランプを位置させ、導光板の一面を用いて光を多重反射させることによって得られた光を液晶表示パネルに射出する方式のバックライトアセンブリであり、直下型は、複数のランプを液晶表示パネルの直下部に位置させ、ランプの前面には拡散板を配置し、ランプの背面には反射板を配置してランプから発散された光を反射、拡散させる方式のバックライトアセンブリである。従って、エッジ型は比較的に大きさが小さい液晶表示装置に用いられ薄型化に有利である反面、直下型は光輝度が要求される大型の液晶表示装置に主に用いられる。
【０００５】
しかし、直下型のバックライトアセンブリの場合、バックライトアセンブリの外郭部が中央部に比べて相対的に暗く見える枠暗部が生じ、液晶表示装置の表示品質を落とす虞がある。
【発明の開示】
【発明が解決しようとする課題】
【０００６】
本発明はこのような従来の問題点を勘案したものであって、本発明の目的は、外郭部に暗部が生じることを防止して輝度均一度を向上させることができるバックライトアセンブリを提供することにある。
【０００７】
本発明の他の目的は、前述したバックライトアセンブリを有する液晶表示装置を提供することにある。
【課題を解決するための手段】
【０００８】
前述した本発明の目的を達成するためのバックライトアセンブリは、ランプ、収納容器及び側面モールド部材を含む。ランプは、互いに平行に配置されて光を発生する。前記収納容器は、底面部及び側部で構成されて前記ランプを収納する。前記側面モールド部材は、前記ランプの末端部をカバーしかつ前記収納容器と結合される。前記側面モールド部材は、前記ランプから発生した光を拡散させるための拡散パターンを有する反射面及び前記反射面から延びる上部面を有する。
【０００９】
前記拡散パターンは、前記反射面の表面から突出した拡散突起で構成される。前記拡散突起は円錐形状または半球形状を有する。一方、前記拡散パターンは、前記反射面の表面から凹陥した拡散溝で構成されることができる。
【００１０】
前記反射面は、前記上部面の延長線を基準として前記ランプの方向に傾くように形成される。また、前記反射面には前記各ランプに対応して開口される開口部が形成される。
【００１１】
前記バックライトアセンブリは、前記ランプの末端部と結合されて前記ランプを固定し、前記側面モールド部材によってカバーされるランプホルダを更に含むことができる。
【００１２】
前記バックライトアセンブリは、前記ランプの上部に配置されて前記ランプから発生した光を拡散させる拡散板を更に含むことができる。ここで、前記側面モールド部材の上部面には前記拡散板の収納位置をガイドするためにしきいが形成される。
【００１３】
前記バックライトアセンブリは、前記ランプの下部に配置され、前記ランプから発生した光を反射させる反射板、前記拡散板の上部に配置される光学シート、及び前記収納容器と結合されて前記拡散板と前記光学シートを固定するモールドフレームを更に含むことができる。
【００１４】
本発明の他の目的を達成するための液晶表示装置は、バックライトアセンブリ、液晶表示パネル及びトップシャーシを含む。前記バックライトアセンブリは、光を発生するランプと、底面部及び側部で構成されて前記ランプを収納する収納容器と、前記ランプから発生した光を拡散させるための拡散パターンを有する反射面及び前記反射面から延びる上部面を有する側面モールド部材を含む。前記液晶表示パネルは、バックライトアセンブリから供給される光を用いて画像を表示する。前記トップシャーシは、前液晶表示パネルを前記バックライトアセンブリに固定する。
【００１５】
このようなバックライトアセンブリ及びこれを有する液晶表示装置によると、バックライトアセンブリの外郭部に暗部が生じることを防止して液晶表示装置の表示品質を向上させることができる。
【発明を実施するための最良の形態】
【００１６】
以下、添付した図面を参照して、本発明の望ましい実施例をより詳細に説明する。
【００１７】
図１は、本発明の一実施例によるバックライトアセンブリを図示した分解斜視図であり、図２は、図１に図示されたバックライトアセンブリの結合関係を示した斜視図である。
【００１８】
図１及び図２を参照すると、本発明の一実施例によるバックライトアセンブリー１００は、複数のランプ２００、収納容器３００及び側面モールド部材４００を含む。ランプ２００は、互いに平行に配置されて光を発生する。収納容器３００は、底面部３１０及び側部３２０で構成されてランプ２００を収納するための収納空間を用意する。側面モールド部材４００は、ランプ２００の末端部をカバーしかつランプ２００に結合される。側面モールド部材４００は、ランプ２００から発生した光を拡散させるための拡散パターン４１２を有する反射面４１０及び反射面４１０から底面部３１０と平行に延びる上部面４２０を含む。
【００１９】
ランプ２００は、同じ面上に互いに平行に配置され、外部から印加される駆動電圧によって光を発生する。ランプ２００は、一例として、細くて長い円筒形状の冷陰極蛍光ランプ（ＣＣＦＬ）で構成される。ランプ２００は、バックライトアセンブリ１００の輝度均一性を図るために等間隔に配置されることが望ましく、ランプ２００の個数は要求される輝度によって決定される。
【００２０】
本実施例で、バックライトアセンブリ１００は、ランプ２００を固定するためのランプホルダー２１０を更に含むことができる。ランプ２００の末端部は、ランプホルダー２１０に差し込まれて固定され、ランプホルダー２１０は、収納容器３００に結合されて固定される。一例として、一つのランプホルダー２１０には互いに隣接した二つのランプ２００が結合される。ランプホルダー２１０は側面モールド部材４００によってカバーされる。
【００２１】
収納容器３００は、底面部３１０及び底面部３１０の端から延び収納空間を形成する側部３２０で構成される。側部３２０は、一例として、他の構成要素との結合空間を提供し、結合力を向上させるためにコの字型形状を有する。収納容器３００は、一例として、強度が優れており変形が少ない金属からなる。収納容器３００の収納空間にはランプ２００が差し込まれた状態のランプホルダー２１０と側面モールド部材４００が順次実装される。
【００２２】
側面モールド部材４００は、ランプ２００の両末端部をそれぞれカバーするために二つのパーツで構成され、収納容器３００の両側部３２０にそれぞれ結合される。ここで、側面モールド部材４００は、ランプホルダー２１０が外部に露出されないようにカバーしかつランプホルダー２１０を固定する。側面モールド部材４００は、ランプ２００から発生した光を反射させるための反射面４１０と反射面４１０から収納容器３００の底面部３１０と平行に延びる上部面４２０を含む。本実施例で、反射面４１０には反射される光を拡散させてより多くの光を上部方向に反射させるための拡散パターン４１２が形成される。
【００２３】
図３は、図１に図示された側面モールド部材を具体的に示した斜視図である。
図２及び図３を参照すると、側面モールド部材４００は、ランプ２００から発生した光を反射させるための反射面４１０及び反射面４１０から底面部３１０と平行に延びる上部面４２０を含む。
【００２４】
反射面４１０は、ランプ２００から発生した光を上部方向に反射させるために、上部面４２０の延長線（ＥＬ）を基準としてランプ２００の方向に傾くように形成される。反射面４１０が傾いた角度（θ）は４５゜以上、９０゜未満の範囲を有する。また、反射面４１０には、各ランプ２００に対応して開口する開口部４１４が形成される。従って、側面モールド部材４００を収納容器３００に結合するとき、ランプ２００は開口部４１４に挿入される。
【００２５】
反射面４１０は、ランプ２００から発生した光を拡散させてより多くの光を上部方向に反射させるための拡散パターン４１２を有する。拡散パターン４１２は、凸刻又は凹刻の微細形状で構成され、一例として、側面モールド部材４００を金型を利用して射出するときに、同時に形成される。拡散パターン４１２は、規則的な配列で形成されることが望ましいが、場合によっては不規則に配列することができる。
【００２６】
上部面４２０は、反射面４１０から底面部３１０と平行に延びる。上部面４２０は、ランプホルダー２１０の上部をカバーしかつ収納容器３００の側部３２０まで延びる。上部面４２０には、収納容器３００の側部３２０とのねじ結合のための結合孔４２４を形成することができる。また、上部面４２０にはランプ２００の上部に配置される拡散板（図示せず）の収納位置をガイドするためにしきい４２２が形成されることができる。
【００２７】
一方、側面モールド部材４００は、上部面４２０から下部方向に延びる第１及び第２支持部４３０、４４０を更に含むことができる。第１支持部４３０は、側面モールド部材４００の実装時、収納容器３００の側部３２０と触れ合うようになって側面モールド部材４００の実装位置をガイドする。ここで、第１支持部４３０はランプホルダー２１０に対応して一部が開口される。第２支持部４４０は、第１支持部４３０に比べて短い長さで延び、第１支持部４３０と反射面４１０との間に形成される。第２支持部４４０は、ランプホルダー２１０の上部を加圧してランプホルダー２１０の動きを防止する。
【００２８】
図４は、図３に図示された拡散パターンの一例を説明するために図３のＡ部分を拡大した部分拡大図である。
【００２９】
図３及び図４を参照すると、側面モールド部材４００の反射面４１０には拡散パターン４１２が形成される。拡散パターン４１２は一例として、反射面４１０の表面から突出した拡散突起４１５で構成される。本例で、拡散突起４１５は円錐形状を有する。即ち、反射面４１０に平行な方向に切った拡散突起４１５の縦断面は円形状を有し、反射面４１０に垂直な方向に切った拡散突起４１５の横断面は三角形の形状を有する。これとは異なり、拡散突起４１５の縦段面が四角形状を有するように拡散突起を形成することができる。拡散突起４１５は、互いの離隔距離が一定であるように規則的に配列されることが望ましいが、不規則的に配列されることもできる。拡散突起４１５は、ランプ２００から発生し反射面４１０に到達する光を拡散反射させて上部方向に向かう光の量を増加させる。
【００３０】
図５は、図３に図示された拡散パターンの他の例を表した拡大図である。
図３及び図５を参照すると、拡散パターン４１２は、反射面４１０の表面から突出した拡散突起４１６で構成される。本例で、拡散突起４１６は半球形状を有する。即ち、反射面４１０に平行な方向に切った拡散突起４１６の縦断面は円形状を有し、４１０に垂直な方向に切った拡散突起４１６の横断面は半円形状を有する。拡散突起４１６は、互いの離隔距離が一定であるように規則的に配列されることが望ましいが、不規則的に配列されることもある。拡散突起４１６は、ランプ２００から発生し反射面４１０に到達する光を拡散反射させて上部方向に向かう光の量を増加させる。
【００３１】
図６は、図３に図示された拡散パターンのまた他の例を表した拡大図である。
図３及び図６を参照すると、拡散パターン４１２は、反射面４１０の表面から所定深さで凹陥した拡散溝４１７で構成される。本例で、拡散溝４１７は、円錐、多角錐又は半球形状などの多様な形状を有することができる。拡散溝４１７は、互いの離隔距離が一定であるように規則的に配列されることが望ましいが、不規則に配列されることもできる。拡散溝４１７は、ランプ２００から発生して反射面４１０に到達する光を拡散反射させて上部方向に向かう光の量を増加させる。
【００３２】
図７は、本発明の他の実施例によるバックライトアセンブリを示した分解斜視図であり、図８は、図７に図示されたバックライトアセンブリの断面図である。本実施例で、ランプ、収納容器及び側面モールド部材は図１乃至図６に図示したものと同じ構造を有するので、同じ図面符号を使用して、その重複する詳細な説明は省略する。
【００３３】
図７及び図８を参照すると、本実施例によるバックライトアセンブリ５００は互いに平行に配置されて光を発生するランプ２００、底面部３１０及び側部３２０で構成されてランプ２００を収納する収納容器３００、及びランプ２００の末端部をカバーしかつ収納容器３００と結合される側面モールド部材４００を含む。側面モールド部材４００はランプ２００から発生した光を拡散反射させるための拡散パターン４１２を有する反射面４１０及び反射面４１０から底面部３１０と平行に延びる上部面４２０を含む。
【００３４】
また、バックライトアセンブリ５００は、ランプ２００の上部に配置されランプ２００から発生した光を拡散させる拡散板５１０を更に含む。拡散板５１０は所定厚さを有する四角形のプレート形状を有する。拡散板５１０は、ランプ２００から射出される光を拡散させて輝度均一性を向上させる。拡散板５１０は、側面モールド部材４００の上部面４２０と収納容器３００の側部３２０とによって支持され、ランプ２００と所定間隔に離隔されて配置される。
【００３５】
バックライトアセンブリ５００は、ランプ２００の下部に配置され、ランプ２００から発生した光を反射させる反射板５２０を更に含む。反射板５２０は、収納容器３００の底面部３１０とランプ２００の長さ方向と平行な二つの側部３２０に対向して配置される。反射板５２０は、ランプ２００から発生した光のうち、下部方向に向かう光を拡散板５１０の方向に反射させて光の利用効率を向上させる。
【００３６】
バックライトアセンブリ５００は、拡散板５１０の上部に配置される少なくとも一枚以上の光学シート５３０を更に含むことができる。光学シート５３０は、拡散板５１０を通して射出される光の経路を変更させ、輝度均一度を向上させるか、正面輝度を向上させる役割を果たす。これのために、光学シート５３０は、拡散板５１０を通じて拡散された光を集光し正面輝度を向上させるための集光シートで構成され、又は拡散板５１０を通じて拡散された光を再び拡散させるための拡散シートで構成される。一方、バックライトアセンブリ５００に要求される輝度特性によって光学シート５３０の追加又は除去が可能である。
【００３７】
バックライトアセンブリ５００は、収納容器３００と結合されて拡散板５１０及び光学シート５３０を固定するモールドフレーム５４０を更に含むことができる。モールドフレーム５４０は、拡散板５１０及び光学シート５３０の上部面の端を固定しかつ収納容器３００の側部３２０と結合される。モールドフレーム５４０は、大きさが大きくなるほど一体に製作しにくくなるので、二つ又は四つのパーツに分けられて形成されることができる。
【００３８】
バックライトアセンブリ５００は、収納容器３００の背面に配置され、ランプ２００を駆動するための駆動電圧を発生するインバータ５５０を更に含むことができる。インバータ５５０は外部から印加される低電圧の交流電圧をランプ２００の駆動のための高電圧の交流電圧に昇圧して出力する。インバータ５５０から出力された駆動電圧は第１及び第２ランプワイヤー５５２、５５４によって各ランプ２００に印加される。即ち、各ランプ２００の一端は第１ランプワイヤー５５２を通じてインバータ５５０と連結され、各ランプ２００の他端は第２ランプワイヤー５５４を通じてインバータ５５０と連結される。
【００３９】
図９は、図７に図示された側面モールド部材、拡散板及び光学シートの他の実施例を示した斜視図であり、図１０は、図９に図示された側面モールド部材を具体的に示した斜視図である。
【００４０】
図９及び図１０を参照すると、側面モールド部材６００は、反射面６１０及び上部面６２０を含む。反射面６１０には光を拡散させるための拡散パターン６１２が形成される。拡散パターン６１２は、図４、図５及び図６に図示されたものと同様であるため、その重複するる説明は省略する。上部面６２０には拡散板６４０を固定するために突出した拡散板固定部６２２が形成される。拡散板６４０には、拡散板固定部６２２と結合される固定溝６４２が形成される。拡散板固定部６２２と固定溝６４２の結合によって拡散板６４０は側面モールド部材６００の上部に固定される。
【００４１】
側面モールド部材６００の上部面６２０には、光学シート６５０を固定するためのシート固定部６２４が形成される。シート固定部６２４は、上部方向に突出した突起形状を有する。シート固定部６２４は、側面モールド部材６００の上部面６２０上の任意の位置に形成されることができるが、拡散板固定部６２２から突出するように形成されることが望ましい。光学シート６５０は、シート固定部６２４に結合される挿入ホール６５２を有する。シート固定部６２４と挿入ホール６５２との結合によって、光学シート６５０は側面モールド部材６００に固定される。  
【００４２】
図１１は、本発明の一実施例による液晶表示装置を示した分解斜視図である。本実施例で、バックライトアセンブリは図１乃至図１０に図示されたものと同様の構成を有するので、その重複する説明は省略する。
【００４３】
図１１を参照すると、本実施例による液晶表示装置９００は、光を供給するためのバックライトアセンブリ５００、画像を表示するためのディスプレイユニット７００及びディスプレイユニット７００を固定するためのトップシャーシ８００を含む。  
【００４４】
ディスプレイユニット７００は、画像を表示する液晶表示パネル７１０、液晶表示パネル７１０を駆動するための駆動信号を提供するデータ及びゲート印刷回路基板７２０、７３０を含む。データ及びゲート印刷回路基板７２０、７３０から提供される駆動信号は、データフレキシブル回路フィルム７４０及びゲートフレキシブル回路フィルム７５０を通じて液晶表示パネル７１０に入力される。データ及びゲートフレキシブル回路フィルム７４０、７５０は、一例として、テープキャリアパッケージ（ＴＣＰ）又はチップオンフィルム（ＣＯＦ）で構成される。また、データ及びゲートフレキシブル回路フィルム７４０、７５０のそれぞれは、データ及びゲート印刷回路基板７２０、７３０から提供される駆動信号を適切なタイミングに液晶表示パネル７１０に入力するために駆動信号を制御するデータ及びゲート駆動チップ７４２、７５２を更に含む。データ印刷回路基板７２０は、データフレキシブル回路フィルム７４０の折り曲げによって収納容器３００の背面に配置され、ゲート印刷回路基板７３０は、ゲートフレキシブル回路フィルム７５０の折り曲げによって収納容器３００の側面又は背面に配置される。即ち、データフレキシブル回路フィルム７４０及びゲートフレキシブル回路フィルム７５０は、収納容器３００とモールドフレーム５４０が結合した後、トップシャーシ８００を結合する前にモールドフレーム５４０の外側面に沿って収納容器３００の背面にむかって折り曲げられ、データ印刷回路基板７２０及びゲート印刷回路基板７３０は収納容器の背面に配置される。一方、ゲート印刷回路基板７３０はデータ印刷回路基板７２０に機能を統合することにより除去することができる。
【００４５】
液晶表示パネル７１０は、薄膜トランジスタ基板（ＴＦＴ）７１２、ＴＦＴ基板７１２と対向して結合されるカラーフィルター基板７１４及び前記両基板７１２，７１４の間に設けられた液晶７１６を含む。  
【００４６】
ＴＦＴ基板７１２は、スイッチング素子であるＴＦＴ（図示せず）がマトリクス形態で形成された透明なガラス基板である。前記ＴＦＴのソース及びゲート端子にはそれぞれデータ及びゲートラインが連結され、ドレイン端子には透明な導電性材質からなった画素電極（図示せず）が連結される。
【００４７】
カラーフィルター基板７１４は、色画素であるＲＧＢ画素（図示せず）が薄膜工程によって形成された基板である。カラーフィルター基板７１４には透明な導電性材質からなった共通電極（図示せず）が形成される。
【００４８】
このような構成を有する液晶表示パネル７１０において、前記ＴＦＴゲート端子に電源電圧が印加されてＴＦＴがターンオンされると、画素電極と共通電極との間には電界が形成される。このような電界によってＴＦＴ基板７１２とカラーフィルター基板７１４との間に配置された液晶７１６の配列が変化し、液晶７１６の配列変化によってバックライトアセンブリ５００から供給される光の透過度が変形されて希望する諧調の画像を得ることができる。  
【００４９】
トップシャーシ８００は、液晶表示パネル７１０の端をカバーしかつ収納容器３００に結合されて液晶表示パネル７１０をバックライトアセンブリ５００の上部に固定する。このようなトップシャーシ８００は、外部衝撃による液晶表示パネル７１０の破損を防止し、液晶表示パネル７１０がバックライトアセンブリ５００から離脱することを防止する。
【００５０】
このようなバックライトアセンブリ及びこれを有する液晶表示装置によると、ランプの末端部をカバーする側面モールド部材の反射面に光を拡散反射させるための拡散パターンを形成することで、バックライトアセンブリの外郭部に暗部が生じることを防止することができ、液晶表示装置の表示品質を向上させることができる。
【００５１】
以上、本発明の実施例によって詳細に説明したが、本発明はこれに限定されず、本発明が属する技術分野において通常の知識を有するものであれば本発明の思想と精神を離れることなく、本発明を修正または変更できる。
【図面の簡単な説明】
【００５２】
【図１】本発明の一実施例によるバックライトアセンブリを図示した分解斜視図である。
【図２】図１に図示されたバックライトアセンブリの結合関係を示した斜視図である。
【図３】図１に図示された側面モールド部材を具体的に示した斜視図である。
【図４】図３に図示された拡散パターンの一例を説明するためにＡ部分を拡大した部分拡大図である。
【図５】図３に図示された拡散パターンの他の例を示した拡大図である。
【図６】図３に図示された拡散パターンのまた他の例を示した拡大図である。
【図７】本発明の他の実施例によるバックライトアセンブリを示した分解斜視図である。
【図８】図７に図示されたバックライトアセンブリの断面図である。
【図９】図７に図示された側面モールド部材、拡散板及び光学シートの他の実施例を示した分解斜視図である。
【図１０】図９に図示された側面モールド部材を具体的に示した斜視図である。
【図１１】本発明の一実施例による液晶表示装置を示した分解斜視図である。
【符号の説明】
【００５３】
１００、５００  バックライトアセンブリ
２００    ランプ
２１０    ランプホルダー
３００    収納容器
３１０    底面部
３２０    側部
４００、６００    側面モールド部材
４１０、６１０    反射面
４１２、６１２    拡散パターン
４１４    開口部
４１５、４１６    拡散突起
４１７    拡散溝
４２０、６２０    上部面
４２２    しきい
４２４    結合孔
４３０    第１支持部
４４０    第２支持部
５００    バックライトアセンブリ
５１０、６１０    拡散板
５２０    反射板
５３０、６５０    光学シート
５４０    モールドフレーム
５５０    インバータ
５５２    第１ランプワイヤー
５５４    第２ランプワイヤー
６２２    拡散板固定部
６２４    シート固定部
６５２    挿入ホール
７００    ディスプレイユニット
７１０    液晶表示パネル
７１２    ＴＦＴ基板
７１４    カラーフィルター基板
７１６    液晶
７２０    データ印刷回路基板
７３０    ゲート印刷回路基板
７４０    データフレキシブル回路フィルム
７４２    データ駆動チップ
７５０    ゲートフレキシブル回路フィルム
７５２    ゲート駆動チップ
８００    トップシャーシ
９００    液晶表示装置
【図１】
2006066359.tif 000003
【図２】
2006066359.tif 000004
【図３】
2006066359.tif 000005
【図４】
2006066359.tif 000006
【図５】
2006066359.tif 000007
【図６】
2006066359.tif 000008
【図７】
2006066359.tif 000009
【図８】
2006066359.tif 000010
【図９】
2006066359.tif 000011
【図１０】
2006066359.tif 000012
【図１１】
2006066359.tif 000013